(57)【要約】【課題】本発明は、スプリングバランサーの補助力の増減を安全に行うことができる補助力調整工具を提供する。【解決手段】工具本体２の端部に凹部３を形成し、凹部３の両端突出部の一方にスプリングバランサー４１におけるラチェット歯４８の係合爪５０の縁部５０ａを摺動しながら係合爪５０を跳上げてラチェット歯４８の溝部４９から係合爪５０を離脱させる跳上げ片４を形成し、凹部３の両端突出部の他方に係合爪５０をラチェット歯４８の溝部４９に係入させるように押圧する押圧片５を形成し、凹部３の中途部分には、ラチェット歯４８の溝部４９に係合する係合突部６ａ，６ｂを形成した。【選択図】図１
2008302997.tif 000002
【特許請求の範囲】
【請求項１】
スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の減力の調整を行うように構成した前記スプリングバランサーにおける補助力調整工具において、
前記補助力調整工具は、工具本体の端部に凹部を形成し、前記凹部の両端突出部の一方に、前記スプリングバランサーにおける前記ラチェット歯の前記係合爪の縁部を摺動しながら前記係合爪を跳上げて前記ラチェット歯の溝部から前記係合爪を離脱させる跳上げ片を形成し、前記凹部の両端突出部の他方に、前記係合爪を前記ラチェット歯の溝部に係入させるように押圧する押圧片を形成し、前記凹部の中途部分には、前記ラチェット歯の前記溝部に係合する係合突部を形成した
ことを特徴とする補助力調整工具。
【請求項２】
スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の増力の調整を行うように構成した前記スプリングバランサーにおける補助力調整工具において、
前記補助力調整工具は、工具本体の端部に凹部を形成し、前記凹部の両端突出部の一方に前記スプリングバランサーの前記係合爪の操作片を押圧する押圧片を形成し、前記凹部の中途部分及び両端突出部の他方に前記ラチェット歯の前記溝部に係合する係合突部を形成した
ことを特徴とする補助力調整工具。
【請求項３】
スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の増力と減力との調整を行うように構成した前記スプリングバランサーにおける補助力調整工具において、
前記補助力調整工具は、工具本体の両端部に凹部を形成し、
前記両端部の一方に、前記凹部の両端突出部の一方に前記スプリングバランサーにおける前記ラチェット歯の前記係合爪の縁部を摺動しながら前記係合爪を跳上げて前記ラチェット歯の溝部から前記係合爪を離脱させる跳上げ片を形成し、前記凹部の両端突出部の他方に、前記係合爪を前記ラチェット歯の溝部に係入させるように押圧する押圧片を形成し、前記凹部の中途部分には、前記ラチェット歯の前記溝部に係合する係合突部を形成し、
前記両端部の他方に、前記凹部の両端突出部の一方に前記スプリングバランサーの前記係合爪の操作片を押圧する押圧片を形成し、前記凹部の中途部分及び前記両端突出部の他方に前記ラチェット歯の前記溝部に係合する係合突部を形成した
ことを特徴とする補助力調整工具。
【請求項４】
前記工具本体の端部にアームを介して前記凹部の略中心部に位置するように前記ラチェット歯の軸芯位置に設けたピン挿通孔に嵌着するセンターピンを配設したことを特徴とする請求項１〜３のいずれか１項に記載の補助力調整工具。
【発明の詳細な説明】
【技術分野】
【０００１】
本発明は、スプリングバランサーの補助力の増減を調整する補助力調整工具に関する。
【背景技術】
【０００２】
従来、インパクトレンチ等の比較的重量物である工具類を使用する場合、作業者への重量負担を軽くするために、工具を上方より吊るした状態で操作できるようにしたスプリングバランサーが広く使用されている（例えば、特許文献１参照）。
【０００３】
図６はスプリングバランサーの概略構成を示す説明図であり、スプリングバランサーの構成について、図６を参照しながら簡単に説明する。
図示するように、スプリングバランサー４１は、バランサーケース４２内にワイヤー４３を巻回した渦巻き状の回転ドラム４４が設けられており、このワイヤー４３を巻回するバネが回転ドラム４４の内部に内包される。
【０００４】
さらにバランサーケース４２には、外装面の中央部４５に軸芯を介して回転ドラム４４内のバネの弾性力を調整するラチェット歯４８が配設されると共に、このラチェット歯４８には、係合爪５０が嵌着される。このバネの弾性力の強弱によってワイヤー４３の補助力は変化する。
【０００５】
このスプリングバランサー４１の補助力調整は、補助力を強くしたい場合、作業者は、右利きであれば、通常、左手でスプリングバランサー４１を保持し、右手で六角レンチを持ちラチェット歯４８の中央部４５（六角穴）に挿した後、ラチェット歯４８を時計回りに９０°回転させ、ラチェット歯４８の溝部４９と係合爪５０を係合させた後に、ワイヤー４３を人力にて引き下げ、補助力の確認を行い、適正な補助力の値になるまで、補助力の調整作業を繰返し行う。逆に補助力を弱くしたい場合、同様な作業を、ラチェット歯４８を反時計回りに９０°回転させることで行う。
【０００６】
【特許文献１】特開２００６−１０３８６０号公報
【発明の開示】
【発明が解決しようとする課題】
【０００７】
しかしながら、補助力調整は、吊下げフック４７でスプリングバランサー４１を不安定な位置に吊下げられた状態における作業であり、補助力を弱くもしくは強くする場合、右手のレンチを回しつつ、左手の人差し指で係合爪５０をラチェット歯４８の溝部から外す操作を行う必要があった。このときに、その係合爪５０がラチェット歯４８の溝部４９から外れた場合は内蔵バネの弾発付勢により、六角レンチが高速で回転してしまい作業者にとって非常に危険な状態になるおそれがあった。作業者が、補助力の増減を安全に行うことができるような工具が望まれていた。
【０００８】
本発明は、上述の点に鑑み、スプリングバランサーの補助力の増減を安全に行うことができる補助力調整工具を提供する。
【課題を解決するための手段】
【０００９】
請求項１に記載の発明は、スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の減力の調整を行うように構成した前記スプリングバランサーにおける補助力調整工具において、前記補助力調整工具は、工具本体の端部に凹部を形成し、前記凹部の両端突出部の一方に、前記スプリングバランサーにおける前記ラチェット歯の前記係合爪の縁部を摺動しながら前記係合爪を跳上げて前記ラチェット歯の溝部から前記係合爪を離脱させる跳上げ片を形成し、前記凹部の両端突出部の他方に、前記係合爪を前記ラチェット歯の溝部に係入させるように押圧する押圧片を形成し、前記凹部の中途部分には、前記ラチェット歯の前記溝部に係合する係合突部を形成したことを特徴とする。         
【００１０】
請求項２に記載の発明は、スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の増力の調整を行うように構成した前記スプリングバランサーにおける補助力調整工具において、前記補助力調整工具は、工具本体の端部に凹部を形成し、前記凹部の両端突出部の一方に前記スプリングバランサーの前記係合爪の操作片を押圧する押圧片を形成し、前記凹部の中途部分及び両端突出部の他方に前記ラチェット歯の前記溝部に係合する係合突部を形成したことを特徴とする。      
【００１１】
請求項３に記載の発明は、スプリングバランサーの回転部材と一体に回動するラチェット歯と前記ラチェット歯に係合する係合爪とをスプリングバランサーケースの外側面に装着し、前記ラチェット歯と前記係合爪による回転調整操作により前記スプリングバランサーの補助力の増力と減力との調整を行うように構成した前記スプリングバランサーにおける補助力調整工具において、前記補助力調整工具は、工具本体の両端部に凹部を形成し、前記両端部の一方に、前記凹部の両端突出部の一方に前記スプリングバランサーにおける前記ラチェット歯の前記係合爪の縁部を摺動しながら前記係合爪を跳上げて前記ラチェット歯の溝部から前記係合爪を離脱させる跳上げ片を形成し、前記凹部の両端突出部の他方に、前記係合爪を前記ラチェット歯の溝部に係入させるように押圧する押圧片を形成し、前記凹部の中途部分には、前記ラチェット歯の前記溝部に係合する係合突部を形成し、前記両端部の他方に、前記凹部の両端突出部の一方に前記スプリングバランサーの前記係合爪の操作片を押圧する押圧片を形成し、前記凹部の中途部分及び前記両端突出部の他方に前記ラチェット歯の前記溝部に係合する係合突部を形成したことを特徴とする。      
【００１２】
請求項４に記載の発明は、請求項１〜３のいずれか１項に記載の補助力調整工具において、前記工具本体の端部にアームを介して前記凹部の略中心部に位置するように前記ラチェット歯の軸芯位置に設けたピン挿通孔に嵌着するセンターピンを配設したことを特徴とする。
【発明の効果】
【００１３】
請求項１に記載の発明によれば、スプリングバランサーの補助力の減力を行う場合、ラチェット歯に係合している係合爪が跳上げ片で外れ、ラチェット歯を減力側に回転させると、減力後には係合爪が押圧片で押圧されてラチェット歯に強制的に係合するため、安全に補助力の減力調整を行うことができる。
【００１４】
請求項２に記載の発明によれば、スプリングバランサーの補助力の増力を行う場合、ラチェット歯を増力側に回転すると、ラチェット歯に係合している係合爪が外れ、その後は工具の回転によって押圧片で係合爪が押圧されてラチェット歯に強制的に係合するため、安全に補助力の増力調整を行うことができる。
【００１５】
請求項３に記載の発明によれば、スプリングバランサーの補助力の減力及び増力を１つの工具で安全に補助力の増減力調整を行うことができる。
【００１６】
請求項４に記載の発明によれば、上記各効果に加え、ピン挿通孔とセンターピンを嵌着することで、軸芯方向の工具の外れを防止することができ、より安全に補助力の減力及び増力を調整することができる。
【発明を実施するための最良の形態】
【００１７】
先ず、本実施の形態に係る補助力調整工具を用いるスプリングバランサーについて、図３及び図６を参照して説明する。
図示するように、スプリングバランサー４１は、バランサーケース４２内にワイヤー４３を巻回した渦巻き状の回転ドラム４４が設けられており、このワイヤー４３を巻回するバネが回転ドラム４４の内部に配設される。このバランサーケース４２には、外装面の中央部４５に軸芯を介して回転ドラム４４内のバネの弾性力を調整するラチェット歯４８が配設されると共に、このラチェット歯４８の溝部４９に係合可能な係合爪５０が揺動自在に設けられている。
この係合爪５０の後端部には操作片５１を突出形成しており、この操作片５１を上方へ回動すれば先端部５０ｂは下方へ回動して溝部４９と係合し、操作片５１を下方へ回動すれば先端部５０ｂは上方へ回動して溝部４９との係合が解かれることになる。
【００１８】
かかる係合爪５０は、先端部５０ｂに略直角な角部が形成され、また、ラチェット歯４８は一方向の回転のみが可能となるように構成されているため、直角形の先端部５０ｂがラチェット歯４８の溝部４９と係合して嵌着することによってラチェット歯４８の回動を阻止することができる。
【００１９】
ラチェット歯４８の外周には、回転中心から、ラチェット歯４８の仮想回転軌跡に向かう切欠線に対して、外周側から直線状に一部切欠いて形成される係合辺５２と、当該係合辺５２を直角に切欠いて形成される滑り辺５３とにより、直角な角受部を有する溝部４９を形成している。そして、かかる溝部４９［４９ａ，４９ｂ，４９ｃ，４９ｄ］を、ラチェット歯４８の外周に等間隔に４つ形成し、これら４つの溝部４９を切り欠いて残った部分が半円弧状の歯外縁４８ｂとなり、これらによりラチェット歯４８の歯本体が構成される。
【００２０】
回転部材としては、回転ドラム４４とワイヤー４３と内蔵バネを備える。スプリングバランサー４１は、吊下げフック４７で上方より吊下げ保持される。
【００２１】
本発明に係るスプリングバランサーの補助力調整工具の実施形態について、図１及び図２を参照しながら詳細に説明する。図１は、本実施の形態に係る補助力調整工具を用いた減力時における説明図、図２は、同増力時における説明図である。
【００２２】
本実施の形態に係るスプリングバランサー４１の補助力調整工具１は、把持可能な幅を有する薄板状の工具本体２の両端部の一方に補助力減力するための減力用凹部３と、他方に補助力増力するための増力用凹部１３とを備えている。
【００２３】
図１に示すように、減力用凹部３は両端突出部により形成されており、この両端突出部の一方に、前記ラチェット歯４８の係合爪５０の縁部５０ａを摺動しながら係合爪５０の縁部５０ａを跳上げて係合爪５０をラチェット歯４８の溝部４９ｃから離脱させる跳上げ片４を形成している。
また、両端突出部の他方に、係合爪５０をラチェット歯４８の溝部４９ｄに係入させるように押圧する押圧片５を形成している。
さらに、減力用凹部３の中途部分にはラチェット歯４８の溝部４９ａ，４９ｂに係合する係合突部６ａ，６ｂを形成している。
【００２４】
さらにまた、工具本体２の端部には、先端部にセンターピン８を突設したアーム７を取付けており、このアーム７は、前記センターピン８が、減力用凹部３の略中心部に位置するように工具本体２に位置決めされて取付けられており、センターピン８は、ラチェット歯４８の中央部４５に設けられたピン挿通孔４６に嵌着する。なお、本実施形態では、センターピン８を設けたアーム７を工具本体２とは別体としているが、工具本体２と一体的に形成してもよい。
【００２５】
係合突部６ａ，６ｂは、各短辺１０ａ，１０ｂとこの短辺１０ａ，１０ｂに垂直に交わる長辺１１ａ，１１ｂとをそれぞれ有している。この短辺１０ａ，１０ｂと長辺１１ａ，１１ｂは、溝部４９ａ，４９ｂの各滑り辺５２ａ，５２ｂと各係合辺５３ａ，５３ｂにそれぞれ当接する。係合突部６ａ，６ｂは、ラチェット歯４８の回転方向へ押圧力を与えると共に，内蔵バネの弾性力をラチェット歯４８から受ける。
【００２６】
跳上げ片４は、基端部４ｂから先端部４ａにかけて湾曲させるとともに、漸次幅を細くした鋭角な形状としている。跳上げ片４は、先端部４ａから基端部４ｂにかけてラチェット歯４８の外周縁部４８ａを摺動しながら係合爪５０の縁部５０ａの内側を跳上げる。
【００２７】
押圧片５は、先端へ向かって先細り状の略２等辺三角形状に形成されている。押圧片５の内側縁５ａは、係合爪５０の縁部５０ａの外側を押圧する。
【００２８】
センターピン８は、円柱状に形成され、ラチェット歯４８の中央部４５のピン挿通孔４６に挿通する。
【００２９】
次に、増力用凹部１３について説明する。増力用凹部１３は、図２に示すように、は両端突出部により形成されており、この両端突出部の一方にラチェット歯４８の係合爪５０の操作片５１を押圧する押圧片１５を形成している。
また、凹部１３の中途部分及び両端突出部の他方にラチェット歯４８の溝部４９ａ，４９ｂに係合する係合突部１６ａ，１６ｂを形成している。
【００３０】
さらにまた、工具本体２の端部には、先端部にセンターピン１８を突設したアーム１７を取付けている。このアーム１７は、前記センターピン１８が、増力用凹部１３の略中心部に位置するように工具本体２に位置決めされて取付けられており、センターピン１８は、ラチェット歯４８の中央部４５に設けられたピン挿通孔４６に嵌着する。
【００３１】
係合突部１６ａ，１６ｂは、各短辺１０ａ，１０ｂとこの短辺１０ａ，１０ｂに垂直に交わる長辺１１ａ，１１ｂとをそれぞれ有している。この短辺１０ａ，１０ｂと長辺１１ａ，１１ｂは、溝部４９ａ，４９ｂの各滑り辺５２ａ，５２ｂと各係合辺５３ａ，５３ｂにそれぞれ当接する。係合突部１６ａ，１６ｂは、ラチェット歯４８の回転方向への押圧力を与えると共に、内蔵バネの弾性力をラチェット歯４８から受ける。
【００３２】
押圧片１５は、先端が斜めの帯状に形成される。押圧片１５の先端部１５ａは、係合爪５０の操作片５１を押圧する。
【００３３】
センターピン１８は、円柱状に形成され、ラチェット歯４８の中央部４５のピン挿通孔４６に嵌着する。
【００３４】
ここで、補助力調整工具を用いて、スプリングバランサー４１の補助力を増力及び減力する操作について説明する。
【００３５】
この補助力調整工具を用いて補助力を減じる作業の概要について簡単に説明すると、作業者は、一方の手（例えば左手）でスプリングバランサー４１を保持し、他方の手（例えば右手）に補助力調整工具１を持ち、この補助力調整工具１を略垂直状態（０時方向）の姿勢で、減力用凹部３をスプリングバランサー４１のラチェット歯４８に嵌着する。そして、このラチェット歯４８を一旦、時計回りに回転させた後、反時計回りに略９０度回転させてラチェット歯４８の１コマ分の補助力の減力作業を行う。所定の減力になるまで、同じ作業を繰り返し行う。なお、補助力調整工具１のアーム７に設けたセンターピン８は、ピン挿通孔４６に挿通され、補助力調整工具１の抜け止めとして作用する。
【００３６】
このとき、補助力調整工具１には、内臓バネによる弾性力が軸芯を介してラチェット歯４８に反時計回りの弾発付勢力として伝動伝達されるが、補助力調整工具１の回転動作によって、ラチェット歯に係合している係合爪が跳上げ片で外すことができ、さらに、ラチェット歯を減力側に回転させると、減力後には係合爪が押圧片で押圧されてラチェット歯に強制的に係合するため、安全に補助力の減力調整を行うことができるようになっている。
【００３７】
以下、図４を参照しながら、減力操作について具体的に説明する。
図４は、本実施の形態に係る補助力調整工具の補助力の減力を行う操作説明図である。図４において、アーム７を介してセンターピン１８がラチェット歯４８のピン挿通孔４６と嵌着している部分については、一点鎖線で図示する。
【００３８】
先ず、図４（ａ）に示すように、補助力調整工具１を略垂直状態（０時方向）とした姿勢で、センターピン８をラチェット歯４８のピン挿通孔４６に挿通するとともに、スプリングバランサー４１のラチェット歯４８の２つの溝部４９ａ，４９ｂに、２つの係合突部６ａ，６ｂがそれぞれ係合するように、減力用凹部３を係合する。
このとき、係合爪５０の略直角の先端部５０ｂは、ラチェット歯４８の溝部４９ｃと係合して嵌着することで、ラチェット歯４８の回動を阻止しているが、跳上げ片４の鋭角な先端部４ａの外縁は、係合爪５０の縁部５０ａに接触している。
【００３９】
次に、図４（ｂ）に示すように、補助力調整工具１を一旦時計回りに回転してラチェット歯４８を回転させる。このとき、跳上げ片４は、その先端部４ａから基端部４ｂにかけて、ラチェット歯４８の外周縁部４８ａを摺動しながら係合爪５０の縁部５０ａの内側を押し上げていく。すなわち、係合爪５０の先端部５０ｂは、ラチェット歯４８の溝部４９ｃの滑り辺５２ｃを滑動して持ち上げられることになる。
【００４０】
図４（ｃ）に示すように、図４（ｂ）の状態から補助力調整工具１をさらに時計回りに回転してラチェット歯４８を回転させると、跳上げ片４の先端部４ａは、係合爪５０をさらに押し上げて、ラチェット歯４８の溝部４９ｃから係合爪５０の先端部５０ｂを持ち上げて離脱させ、係合状態から開放する。
【００４１】
図４（ｄ）に示すように、図４（ｃ）の状態よりも、さらに補助力調整工具１を時計回りに回転することにより、跳上げ片４の基端部４ｂが係合爪５０の縁部５０ａをより大きく押し上げ、この基端部４ｂの厚みの幅だけ係合爪５０が溝部４９ｃから大きく離間されるように跳ね上げられる。
【００４２】
次いで、図４（ｅ）に示すように、ここで補助力調整工具１を反時計回りに回転する。このとき、係合爪５０の縁部５０ａは、跳上げ片４の基端部４ｂより大きく跳上げられた状態にあるため、溝部４９ｃへの再係合が遅れ、ラチェット歯４８の外周縁部４８ａの歯外縁４８ｂに係合爪５０の先端部５０ｂが乗る。このように、跳上げ片４の先端部４ａの厚み幅と基端部４ｂの厚み幅の差によって、係合爪５０の溝部４９ｃへの再係合を遅らせることができる。なお、再係合を遅らす跳上げ片の形状としては、係合爪を跳上げることができれば、先端部をさらに延伸した形状でもよい。
【００４３】
図４（ｆ）に示すように、図４（ｅ）の状態より補助力調整工具１を反時計回りに回転することにより、減力用凹部３の係合突部６ａ，６ｂと係合したラチェット歯４８を回転させる。このとき、跳上げ片４は、係合爪５０より既に離隔しており、係合爪５０の先端部５０ｂは、ラチェット歯４８の外周縁部４８ａの歯外縁４８ｂを相対的に摺動して、隣接する溝部４９ｄに臨むことになる。
【００４４】
そして、図４（ｇ）に示すように、図４（ｆ）の状態より補助力調整工具１をさらに反時計回りに回転すると、跳上げ片４に代わって押圧片５が係合爪５０の先端部５０ｂの外側に当接し、補助力調整工具１の回転につれて、先端部５０ｂを溝部４９ｄへ嵌入するように押圧する。
【００４５】
図４（ｈ）に示すように、補助力調整工具１が略水平位置となるまでさらに反時計回りに回転すると、ラチェット歯４８の１コマ分の減力がなされることになるが、このとき、押圧片５は、係合爪５０の先端部５０ｂが溝部４９ｄの係合辺５３ｄと当接状態となるまで押圧している。
【００４６】
すなわち、補助力調整工具１の回転動作中、スプリングバランサー４１の内臓バネによる弾性力が、軸芯を介してラチェット歯４８に反時計回りの弾発付勢力として伝動伝達されているが、補助力調整工具１の回転動作によって、係合爪５０を、自動的かつ強制的にラチェット歯４８と係合させることができるため、作業者が、指を使って係合爪５０をラチェット歯４８に係合させなくとも、ラチェット歯４８は１／４回転して１コマ分の減力操作が終了すると、その位置に自動的かつ確実に保持されることになる。
【００４７】
さらに、補助力の減力を行いたい場合は、図４（ａ）に示す補助力調整工具１の状態に戻って、同様の作業を繰り返し行う。
【００４８】
次に、この補助力調整工具を用いて補助力を増す作業の概要について簡単に説明すると、作業者は、一方の手（例えば左手）でスプリングバランサー４１を保持し、他方の手（例えば右手）に補助力調整工具１を持ち、この補助力調整工具１を略水平状態（３時方向）の姿勢で、増力用凹部１３をスプリングバランサー４１のラチェット歯４８に嵌着する。そして、このラチェット歯４８を時計回りに略９０度回転させてラチェット歯４８の１コマ分の補助力の増力作業を行う。所定の増力になるまで、同じ作業を繰り返し行う。なお、補助力調整工具１のアーム１７に設けたセンターピン１８は、ピン挿通孔４６に挿通され、補助力調整工具１の抜け止めとして作用する。
【００４９】
このとき、補助力調整工具１には、内蔵バネによる弾性力が軸芯を介してラチェット歯４８に反時計回りの弾発付勢力として伝動伝達されるが、補助力調整工具１の回転動作によって、ラチェット歯４８を増力側に回転させると、ラチェット歯４８に係合している係合爪５０を外すことができ、その後は工具の回転によって押圧片で係合爪５０が押圧されてラチェット歯４８に強制的に係合するため、安全に補助力の増力調整を行うことができる。
【００５０】
以下、図５を参照しながら、増力操作について具体的に説明する。
図５は、本実施の形態に係る補助力調整工具の補助力の増力を行う操作説明図である。図５中において、アーム１７を介してセンターピン１８がラチェット歯４８のピン挿通孔４６と嵌着している部分については、一点鎖線で図示する。
【００５１】
先ず、図５（ａ）に示すように、補助力調整工具１を略水平状態（３時方向）とした姿勢で、センターピン１８をラチェット歯４８のピン挿通孔４６に挿通するとともに、スプリングバランサー４１のラチェット歯４８の２つの溝部４９ａ，４９ｂに、２つの係合突部１６ａ，１６ｂがそれぞれ係合するように、増力用凹部１３を係合する。
このとき、係合爪５０の略直角の先端部５０ｂは、ラチェット歯４８の溝部４９ｃと係合して嵌着し、ラチェット歯４８の回動を阻止している。
【００５２】
図５（ｂ）に示すように、補助力調整工具１を時計回りに回転してラチェット歯４８を回転させる。このとき溝部４９ｄの係合辺５３ｄが、係合爪５０の縁部５０ａの内側を摺り、係合爪５０を跳上げる。
【００５３】
図５（ｃ）に示すように、図５（ｂ）の状態よりも補助力調整工具１を時計回りに回転してラチェット歯４８を回転させると、ラチェット歯４８の外周縁部４８ａの歯外縁４８ｂにより係合爪５０をより上方へ押し上げて行き、係合爪５０の先端部５０ｂが溝部４９ｄから離脱し、係合状態から開放される。また、係合爪５０は、ラチェット歯４８の外周縁部４８ａの歯外縁４８ｂ上相対的に摺動して、先端部５０ｂが隣接する溝部４９ｃに臨むことになる。
【００５４】
すなわち、図５（ｄ）に示すように、図５（ｃ）の状態よりも、さらに補助力調整工具１を時計回りに回転してラチェット歯４８を回転させると、増力用凹部１３を形成する両端突出部の一方である押圧片１５の先端部１５ａが、係合爪５０の操作片５１に当接する。
【００５５】
図５（ｅ）に示すように、図５（ｄ）の状態よりも、さらに補助力調整工具１を時計回りに回転してラチェット歯４８を回転させると、押圧片１５が係合爪５０の操作片５１を押圧し、係合爪５０の先端部５０ｂをラチェット歯４８の溝部４９ｃ内へ押し込む。この状態で、ラチェット歯４８の１コマ分の増力がなされることになる。なお、このとき、係合爪５０の先端部５０ｂとラチェット歯４８の溝部４９ｃの滑り辺５２ｄとの間には僅かな間隙がある。
【００５６】
そこで、図５（ｅ）の状態から、図５（ｆ）に示すように、補助力調整工具１が略垂直位置となるまで反時計回りに回転し、押圧片１５を係合爪５０の操作片５１から離隔させるとともに、係合爪５０の先端部５０ｂを溝部４９ｃの係合辺５３ｃとしっかりと当接させ、溝部４９ｃと確実に係合する。
【００５７】
補助力調整工具１を用いて増力を調整している間、スプリングバランサー４１の内臓バネによる弾性力が、軸芯を介してラチェット歯４８に反時計回りの弾発付勢力として伝動伝達されているが、補助力調整工具１の回転動作によって、係合爪５０を、自動的かつ強制的にラチェット歯４８と係合させることができるため、作業者が、指を使って係合爪５０をラチェット歯４８に係合させなくとも、ラチェット歯４８は１／４回転して１コマ分の増力操作が終了すると、その位置に自動的かつ確実に保持されることになる。
【００５８】
さらに、補助力の増力を行いたい場合は、図５（ａ）に示す補助力調整工具１の状態に戻って、同様の作業を繰り返し行う。
【００５９】
以上説明してきたように、本実施の形態に係る補助力調整工具１によれば、スプリングバランサー４１の補助力の減力及び増力を１つの工具で行え、確実に係合爪５０をラチェット歯４８の溝部４９に掛替え操作することができ、安全に補助力の増力調整することができる。
【００６０】
また、本実施の形態に係る補助力調整工具によれば、ピン挿通孔４６とセンターピン８，１８を嵌着することで、軸芯方向の工具の外れを防止することができ、より安全に補助力の減力及び増力を調整することができる。
【００６１】
本発明を、実施の形態の一例を通して説明してきたが、本発明は係る特定の実施形態に限定されるものではなく、特許請求の範囲に記載された本発明の要旨の範囲内において、種々の変形・変更が可能である。
【００６２】
例えば、補助力調整工具は、係合突部を２箇所設けたが１箇所のみとしてもよい。また、本補助力調整工具の他の形態として、センターピンを六角形状にして六角レンチの作用を保持させることもできる。
その場合の参考例として、減力用の凹部として、上述した実施形態における跳上げ片４と押圧片５と同様な突出端部により形成し、ラチェット歯の外周円に沿うような形状としておけば、ラチェット歯の溝部に対応する係合突部を設ける必要がない。また、増力用の凹部として、上述した実施形態における押圧片１５と同様な突出端部を設け、ラチェット歯の外周円に沿うような形状としておけば、この場合もラチェット歯の溝部に対応する係合突部は設けなくてもよい。
【図面の簡単な説明】
【００６３】
【図１】本実施形態に係る補助力調整工具を用いた減力時における説明図である。
【図２】同増力時における説明図である。
【図３】スプリングバランサーに補助力調整工具を装着した状態を示す説明図である。
【図４】本発明に係るスプリングバランサーの補助力調整工具の減力時の操作を示す説明図である。
【図５】本発明に係るスプリングバランサーの補助力調整工具の増力時の操作を示す説明図である。
【図６】スプリングバランサーの説明図である。
【符号の説明】
【００６４】
１  補助力調整工具
２  工具本体
３，１３  凹部
４  跳上げ片
５，１５  押圧片
６ａ，６ｂ，１６ａ，１６ｂ  係合突部
７，１７  アーム
８，１８  センターピン
４１  スプリングバランサー
４２  バランサーケース
４３  ワイヤー
４４  回転ドラム
４５  中央部
４６  ピン挿通孔
４７  吊下げフック
４８  ラチェット歯
４９  溝部
５０  係合爪
５１  操作片
【図１】
2008302997.tif 000003
【図２】
2008302997.tif 000004
【図３】
2008302997.tif 000005
【図４】
2008302997.tif 000006
【図５】
2008302997.tif 000007
【図６】
2008302997.tif 000008